(57)【特許請求の範囲】
【請求項１】
燃料噴射ポンプに設けられる電磁スピル弁であって、
ハウジングと、
前記ハウジングに形成される燃料通路と、
前記燃料通路に収納され、前記燃料通路の軸方向に摺動するスピル弁体と、
前記スピル弁体の一端側が当接又は離間し、前記燃料通路の一端側を塞ぐエンドキャップと、
前記ハウジングに固定され、前記エンドキャップの動きを規制するカバーと、を備え、
前記エンドキャップに支持ボルトの頭部が嵌合され、前記カバーの外側に突出した前記支持ボルトのネジ部にナットが螺合されることによって、前記カバーが前記ハウジングに固定される
電磁スピル弁。
【請求項２】
前記カバーに湾曲長孔部が形成され、前記湾曲長孔部を介してカバー固定ボルトが前記ハウジングに締結されることよって、前記カバーが前記ハウジングに固定される
請求項１記載の電磁スピル弁。
【請求項３】
燃料噴射ポンプに設けられる電磁スピル弁であって、
ハウジングと、
前記ハウジングに形成される燃料通路と、
前記燃料通路に収納され、前記燃料通路の軸方向に摺動するスピル弁体と、
前記スピル弁体の一端側が当接又は離間し、前記燃料通路の一端側を塞ぐエンドキャップと、
前記ハウジングに固定され、前記エンドキャップの動きを規制するカバーと、を備え、
前記エンドキャップの一部は、前記カバーに嵌合され、
前記カバーに湾曲長孔部が形成され、前記湾曲長孔部を介してカバー固定ボルトが前記ハウジングに締結されることよって、前記カバーが前記ハウジングに固定される
電磁スピル弁。
【発明の詳細な説明】
【技術分野】
【０００１】
本発明は、燃料噴射ポンプの電磁スピル弁の技術に関する。
【背景技術】
【０００２】
従来、燃料噴射ポンプの電磁スピル弁は公知である。また、電磁スピル弁のスピル弁体が収納される燃料通路を塞ぐエンドキャップも公知である。例えば、特許文献１には、エンドキャップのように燃料噴射ポンプの燃料通路を塞ぐ構成が開示されている。以下では、従来のエンドキャップとしてエンドキャップ５５０の構成について説明する。
【０００３】
図６を用いて、エンドキャップ５５０の構成について説明する。なお、図６（Ａ）では、エンドキャップ５５０の構成を正面視にて表し、図６（Ｂ）では、エンドキャップ５５０の構成を図６（Ａ）のＡ５−Ａ５断面視によって表している。また、以下では、図６（Ｂ）軸方向の差込側又は基端側に従って説明する。
【０００４】
エンドキャップ５５０は、電磁スピル弁５００の一構成部品である。電磁スピル弁５００は、ハウジング５１０と、スピル弁体５２０と、インサートピース５３０と、ソレノイド（図示略）と、エンドキャップ５５０と、カバー５６０と、を備えている。
【０００５】
エンドキャップ５５０は、電磁スピル弁５００のスピル弁体５２０が収納される燃料通路としてのインサートピース孔５１０Ａを塞ぐものである。エンドキャップ５５０は、略円柱形状に形成されている。エンドキャップ５５０の差込側部には、溝５５０Ａが形成され、Ｏリングが嵌合されている。エンドキャップ５５０の基端側部には、ネジ部５５０Ｂが形成されている。
【０００６】
カバー５６０は、ハウジング５１０から突出したエンドキャップ５５０を被装するものである。カバー５６０は、基端側が閉塞された略円筒形状に形成されている。カバー５６０の差込側には、溝５６０Ａが形成され、Ｏリングが嵌合されている。カバー５６０の内周部には、ネジ部５６０Ｂが形成されている。
【０００７】
インサートピース孔５１０Ａを塞ぐ構成としては、エンドキャップ５５０がインサートピース孔５１０Ａに差し込まれる。このとき、エンドキャップ５５０のネジ部５５０Ｂは、インサートピース孔５１０Ａに形成されるネジ部に螺合される。また、エンドキャップ５５０の側面周囲には、緩み防止のために接着剤が塗布されている。さらに、差し込まれたエンドキャップ５５０のハウジング５１０から突出したネジ部５５０Ｂには、カバー５６０が螺合される。
【０００８】
このような構成とすることによって、エンドキャップ５５０及びカバー５６０によってインサートピース孔５１０Ａを確実に塞ぐことができる。
【０００９】
しかし、エンドキャップ５５０は、電磁スピル弁５００のメンテナンスの際に外されるものである。そのため、電磁スピル弁５００のメンテナンスの度に、エンドキャップ５５０及びインサートピース孔５１０Ａの周囲に付着した接着剤を除去及び塗布する必要があり、メンテナンス作業の効率が悪い。
【００１０】
また、エンドキャップ５５０及びインサートピース孔５１０Ａの周囲の除去しきれなかった接着剤は、燃料に混じってコンタミとなり、燃料噴射ポンプの品質が低下することになる。
【００１１】
ここで、接着剤を用いずにエンドキャップ５５０をインサートピース孔５１０Ａに差し込むのみでは、エンドキャップ５５０がインサートピース孔５１０Ａに対して緩むおそれがある。
【先行技術文献】
【特許文献】
【００１２】
【特許文献１】実開平５−２４９５５号公報
【発明の概要】
【発明が解決しようとする課題】
【００１３】
本発明の解決しようとする課題は、接着剤を用いることなくエンドキャップの緩みを防止することができる電磁スピル弁を提供することである。
【課題を解決するための手段】
【００１４】
本発明の解決しようとする課題は以上の如くであり、次にこの課題を解決するための手段を説明する。
【００１５】
即ち、請求項１においては、燃料噴射ポンプに設けられる電磁スピル弁であって、ハウジングと、前記ハウジングに形成される燃料通路と、前記燃料通路に収納され、前記燃料通路の軸方向に摺動するスピル弁体と、前記スピル弁体の一端側が当接又は離間し、前記燃料通路の一端側を塞ぐエンドキャップと、前記ハウジングに固定され、前記エンドキャップの動きを規制するカバーと、を備え、前記エンドキャップに支持ボルトの頭部が嵌合され、前記カバーの外側に突出した前記支持ボルトのネジ部にナットが螺合されることによって、前記カバーが前記ハウジングに固定されるものである。
【００１６】
請求項２においては、前記カバーに湾曲長孔部が形成され、前記湾曲長孔部を介してカバー固定ボルトが前記ハウジングに締結されることよって、前記カバーが前記ハウジングに固定されるものである。
【００１７】
請求項３においては、燃料噴射ポンプに設けられる電磁スピル弁であって、ハウジングと、前記ハウジングに形成される燃料通路と、前記燃料通路に収納され、前記燃料通路の軸方向に摺動するスピル弁体と、前記スピル弁体の一端側が当接又は離間し、前記燃料通路の一端側を塞ぐエンドキャップと、前記ハウジングに固定され、前記エンドキャップの動きを規制するカバーと、を備え、前記エンドキャップの一部は、前記カバーに嵌合され、前記カバーに湾曲長孔部が形成され、前記湾曲長孔部を介してカバー固定ボルトが前記ハウジングに締結されることよって、前記カバーが前記ハウジングに固定されるものである。
【発明の効果】
【００１８】
本発明の電磁スピル弁によれば、接着剤を用いることなくエンドキャップの緩みを防止することができる。
【図面の簡単な説明】
【００１９】
【図１】燃料噴射ポンプの構成を示す側面断面図。
【図２】第一実施形態のエンドキャップの構成を示す正面図及び側面断面図。
【図３】第二実施形態のエンドキャップの構成を示す正面図及び側面断面図。
【図４】第三実施形態のエンドキャップの構成を示す正面図及び側面断面図。
【図５】第四実施形態のエンドキャップの構成を示す正面図及び側面断面図。
【図６】従来のエンドキャップの構成を示す正面図及び側面断面図。
【発明を実施するための形態】
【００２０】
図１を用いて、燃料噴射ポンプ１０００の構成について説明する。図１では、燃料噴射ポンプ１０００の構成を模式的に表している。
【００２１】
本実施形態の燃料噴射ポンプ１０００は、船舶に搭載される大型のディーゼルエンジンの各気筒にそれぞれ設けられるものである。燃料噴射ポンプ１０００は、図示しない低圧ポンプ（フィードポンプ）と接続され、低圧ポンプからの燃料を加圧して図示しない燃料噴射ノズルへ供給するものである。燃料噴射ポンプ１０００は、電磁スピル弁１００と、ポンプ本体部６００と、等圧弁部７００と、を備えている。
【００２２】
電磁スピル弁１００は、燃料噴射ポンプ１０００の燃料噴射量及び噴射時期を調節するものである。電磁スピル弁１００は、ハウジング１１０と、スピル弁体１２０と、インサートピース１３０と、エンドキャップ１５０と、カバー１６０と、ソレノイド１７０と、を備えている。電磁スピル弁１００について、詳しくは後述する。
【００２３】
ポンプ本体部６００は、略円筒状に形成されるポンプ本体上部６１０と、プランジャ６３０を軸心方向に摺動自在に内装するバレル６２０と、燃料を加圧するプランジャ６３０と、プランジャ６３０を下方に付勢するプランジャばね６４０と、図示しないカムからの押圧力をプランジャ６３０に伝達するタペット６５０と、図示しないカムと、を備えている。
【００２４】
等圧弁部７００は、燃料を吐出する、または、噴射終了後の高圧管継手７５０内の燃料圧力を所定の値に維持するものである。等圧弁部７００は、等圧弁本体７２０と、吐出弁７３０と、等圧弁７４０等を具備する。また、等圧弁部７００には、高圧管継手７５０が接続されている。
【００２５】
図２を用いて、エンドキャップ１５０の構成について説明する。なお、図２（Ａ）では、エンドキャップ１５０の構成を正面視にて表し、図２（Ｂ）では、エンドキャップ１５０の構成を図２（Ａ）のＡ１−Ａ１断面視によって表している。また、以下では、図２（Ｂ）軸方向の差込側又は基端側に従って説明する。
【００２６】
エンドキャップ１５０は、本発明のエンドキャップの第一実施形態である。エンドキャップ１５０は、電磁スピル弁１００の一構成部品である。上述したように電磁スピル弁１００は、ハウジング１１０と、スピル弁体１２０と、インサートピース１３０と、ソレノイド（図１参照）と、エンドキャップ１５０と、カバー１６０と、を備えている。
【００２７】
ハウジング１１０は、電磁スピル弁１００の本体部分を構成する構造体である。ハウジング１１０は、略直方体に形成されている。ハウジング１１０の軸方向には、燃料通路としてのインサートピース孔１１０Ａがハウジング１１０を貫通するように形成されている。
【００２８】
スピル弁体１２０は、圧送される燃料の流路を切替えるものである。スピル弁体１２０は、インサートピース１３０に摺動自在に挿入される。インサートピース１３０は、スピル弁体１２０が着座するものである。インサートピース１３０は、インサートピース孔１１０Ａよりも短い全長の略円筒状に形成される。
【００２９】
エンドキャップ１５０は、インサートピース孔１１０Ａを塞ぐものである。また、エンドキャップ１５０の差込側には、スピル弁体１２０の基端側が当接又は離間する。エンドキャップ１５０は、略円柱形状に形成されている。エンドキャップ１５０の基端側には、係合部１５０Ａが形成されている。エンドキャップ１５０の基端側部には、ネジ部１５０Ｂが形成されている。
【００３０】
カバー１６０は、ハウジング１１０に差し込まれたエンドキャップ１５０を被装するものである。カバー１６０は、略直方体に形成されている。カバー１６０の中央部には軸方向を貫通する孔部１６０Ａが形成されている。カバー１６０の差込側には、ハウジング１１０と当接する溝部１６０Ｂが形成され、Ｏリングが嵌合されている。
【００３１】
ボルトＢ１は、頭部をエンドキャップ１５０の係合部１５０Ａに係合させ、ネジ部をカバー１６０の孔部１６０Ａに貫通させて配置されている。ナットＮは、カバー１６０の外側に突出したボルトＢ１のネジ部に螺合されている。ボルトＢ２は、カバー１６０の四隅をハウジング１１０に締結している。
【００３２】
ハウジング１１０のインサートピース孔１１０Ａを塞ぐ構成としては、エンドキャップ１５０がインサートピース孔１１０Ａに差し込まれる。このとき、エンドキャップ１５０のネジ部１５０Ｂは、インサートピース孔１１０Ａに形成されるネジ部に螺合される。そして、ボルトＢ１が頭部をエンドキャップ１５０の係合部１５０Ａに係合させて配置される。さらに、カバー１６０が、孔部１６０ＡにボルトＢ１のネジ部を挿入されるようにエンドキャップ１５０及びハウジング１１０を被装する。そして、ボルトＢ２がカバー１６０をハウジング１１０に締結する。さらに、ナットＮがボルトＢ１をカバー１６０に締結する。
【００３３】
このような構成とすることによって、ハウジング１１０にカバー１６０がボルトＢ２によって固定され、カバー１６０にボルトＢ１がナットＮによって固定され、ボルトＢ１の頭部がエンドキャップ１５０の係合部１５０Ａに係合し、エンドキャップ１５０のインサートピース孔１１０Ａに対する軸方向の動きが規制される。
【００３４】
このようにエンドキャップ１５０の動きを規制することにより、接着剤を用いることなくエンドキャップ１５０の緩みを防止することができる。
【００３５】
図３を用いて、エンドキャップ２５０の構成について説明する。なお、図３（Ａ）では、エンドキャップ２５０の構成を正面視にて表し、図３（Ｂ）では、エンドキャップ２５０の構成を図３（Ａ）のＡ２−Ａ２断面視によって表している。また、以下では、図３（Ｂ）軸方向の差込側又は基端側に従って説明する。
【００３６】
エンドキャップ２５０は、本発明のエンドキャップの第二実施形態である。エンドキャップ２５０は、電磁スピル弁２００の一構成部品である。電磁スピル弁２００は、ハウジング２１０と、スピル弁体２２０と、インサートピース２３０と、ソレノイド（図１参照）と、エンドキャップ２５０と、カバー２６０と、を備えている。ハウジング２１０、スピル弁体２２０及びインサートピース２３０の構成は、第一実施形態と同様であるため説明を省略する。
【００３７】
エンドキャップ２５０は、電磁スピル弁２００のスピル弁体２２０が収納される燃料通路としてのインサートピース孔２１０Ａを塞くものである。また、エンドキャップ２５０の差込側には、スピル弁体２２０の基端側が当接又は離間する。エンドキャップ２５０は、略円柱形状に形成されている。エンドキャップ２５０の基端側には、係合部２５０Ａが形成されている。エンドキャップ２５０の基端側部には、ネジ部２５０Ｂが形成されている。
【００３８】
カバー２６０は、ハウジング２１０のインサートピース孔２１０Ａに差し込まれたエンドキャップ２５０を被装するものである。カバー２６０は、略平板形状に形成されている。カバー２６０の中央部には長孔形状の係合孔２６０Ａが形成されている。カバー２６０の長手方向の両端側には、湾曲した長孔部２６０Ｂが形成されている。
【００３９】
ハウジング２１０のインサートピース孔２１０Ａを塞ぐ構成としては、エンドキャップ２５０がインサートピース孔２１０Ａに差し込まれる。このとき、エンドキャップ２５０のネジ部２５０Ｂは、インサートピース孔２１０Ａに形成されるネジ部に螺合される。そして、カバー２６０が係合孔２６０Ａに係合部２５０Ａが係合されるようにエンドキャップ２５０及びハウジング２１０を被装する。そして、ボルトＢがカバー２６０をハウジング２１０に締結する。
【００４０】
このような構成とすることによって、ハウジング２１０にカバー２６０がボルトＢによって固定され、カバー２６０によってエンドキャップ２５０のインサートピース孔２１０Ａに対する軸方向の動きが規制される。
【００４１】
このようにエンドキャップ２５０の動きを規制することにより、接着剤を用いることなくエンドキャップ２５０の緩みを防止することができる。
【００４２】
図４を用いて、エンドキャップ３５０の構成について説明する。なお、図４（Ａ）では、エンドキャップ３５０の構成を正面視にて表し、図４（Ｂ）では、エンドキャップ３５０の構成を図４（Ａ）のＡ３−Ａ３断面視によって表している。また、以下では、図４（Ｂ）軸方向の差込側又は基端側に従って説明する。
【００４３】
エンドキャップ３５０は、本発明のエンドキャップの第三実施形態である。エンドキャップ３５０は、電磁スピル弁３００の一構成部品である。電磁スピル弁３００は、ハウジング３１０と、スピル弁体３２０と、インサートピース３３０と、ソレノイド（図１参照）と、エンドキャップ３５０と、第一カバー３６０と、第二カバー３７０と、を備えている。ハウジング３１０、スピル弁体３２０及びインサートピース３３０の構成は、第一実施形態と同様であるため説明を省略する。
【００４４】
エンドキャップ３５０は、電磁スピル弁３００のスピル弁体３２０が収納される燃料通路としてのインサートピース孔３１０Ａを塞ぐものである。エンドキャップ３５０は、略円柱形状に形成されている。エンドキャップ３５０の差込側部には、溝部３５０Ａが形成され、Ｏリングが嵌合されている。エンドキャップ３５０の基端側部には、ネジ部３５０Ｂが形成されている。
【００４５】
第一カバー３６０は、ハウジング３１０から突出したエンドキャップ３５０を被装するものである。第一カバー３６０は、基端側が閉塞された略円筒形状に形成されている。第一カバー３６０の差込側には、溝３６０Ａが形成され、Ｏリングが嵌合されている。第一カバー３６０の内周部には、ネジ部３６０Ｂが形成されている。第一カバー３６０の基端側には、凸部３６０Ｃが形成されている。
【００４６】
第二カバー３７０は、ハウジング３１０のインサートピース孔３１０Ａに差し込まれたエンドキャップ３５０及び第一カバー３６０を被装するものである。第二カバー３７０は、略平板形状に形成されている。第二カバー３７０の中央部には長孔形状の係合孔３７０Ａが形成されている。第二カバー３７０の長手方向の両端側には、湾曲した長孔部３７０Ｂが形成されている。
【００４７】
ハウジング３１０のインサートピース孔３１０Ａを塞ぐ構成としては、エンドキャップ３５０がインサートピース孔３１０Ａに差し込まれる。このとき、エンドキャップ３５０のネジ部３５０Ｂは、インサートピース孔３１０Ａに形成されるネジ部に螺合される。さらに、差し込まれたエンドキャップ３５０の突出したネジ部３５０Ｂには、第一カバー３６０が螺合される。そして、第二カバー３７０が係合孔３７０Ａに凸部３６０Ｃを係合させるように第一カバー３６０及びハウジング３１０を被装する。そして、ボルトＢが第二カバー３７０をハウジング３１０に締結する。
【００４８】
このような構成とすることによって、ハウジング３１０に第二カバー３７０がボルトＢによって固定され、第二カバー３７０によって第一カバー３６０及びエンドキャップ３５０のインサートピース孔３１０Ａに対する軸方向の動きが規制される。
【００４９】
このようにエンドキャップ３５０の動きを規制することにより、接着剤を用いることなくエンドキャップ３５０の緩みを防止することができる。
【００５０】
なお、第三実施形態のエンドキャップ３５０は、上述した従来のエンドキャップ５５０の構成に第二カバー３７０を追加したものである。
【００５１】
図５を用いて、エンドキャップ４５０の構成について説明する。なお、図５（Ａ）では、エンドキャップ４５０の構成を正面視にて表し、図５（Ｂ）では、エンドキャップ４５０の構成を図５（Ａ）のＡ４−Ａ４断面視によって表している。また、以下では、図５（Ｂ）軸方向の差込側又は基端側に従って説明する。
【００５２】
エンドキャップ４５０は、本発明のエンドキャップの第四実施形態である。エンドキャップ４５０は、電磁スピル弁４００の一構成部品である。電磁スピル弁４００は、ハウジング４１０と、スピル弁体４２０と、インサートピース４３０と、ソレノイド（図１参照）と、エンドキャップ４５０と、カバー４６０と、板バネＳと、を備えている。ハウジング４１０、スピル弁体４２０及びインサートピース４３０の構成は、第一実施形態と同様であるため説明を省略する。
【００５３】
エンドキャップ４５０は、電磁スピル弁４００のスピル弁体４２０が収納される燃料通路としてのインサートピース孔４１０Ａを塞くものである。また、エンドキャップ４５０の差込側には、スピル弁体４２０の外側が当接又は離間する。エンドキャップ４５０は、略円柱形状に形成されている。エンドキャップ４５０の基端側部には、ネジ部４５０Ａが形成されている。
【００５４】
カバー４６０は、ハウジング４１０のインサートピース孔４１０Ａに螺合されたエンドキャップ４５０を被装するものである。カバー４６０は、略円盤形状に形成されている。カバー４６０の差込側には凸部４６０Ａが形成されている。
【００５５】
板バネＳは、略リング形状に形成されている。板バネＳは、エンドキャップ４５０とカバー４６０との間に介され、カバー４６０をエンドキャップ４５０から離間する向きに付勢している。
【００５６】
ハウジング４１０のインサートピース孔４１０Ａを塞ぐ構成としては、エンドキャップ４５０がインサートピース孔４１０Ａに差し込まれる。このとき、エンドキャップ４５０のネジ部４５０Ａは、インサートピース孔４１０Ａに形成されるネジ部に螺合される。さらに、板バネＳがインサートピース孔４１０Ａの内部にエンドキャップ４５０と当接して配置される。そして、カバー４６０が凸部４６０Ａをインサートピース孔４１０Ａに嵌合させるように板バネＳを介したエンドキャップ４５０及びハウジング４１０を被装する。そして、ボルトＢがカバー４６０をハウジング４１０に締結する。
【００５７】
このような構成とすることによって、カバー４６０がボルトＢによってハウジング４１０に固定され、カバー４６０によって板バネＳが圧縮され、圧縮された板バネＳによってエンドキャップ４５０のインサートピース孔４１０Ａに対する軸方向の動きが規制される。言い換えれば、エンドキャップ４５０は、圧縮された板バネＳをさらに圧縮しなければ緩むことはない。
【００５８】
このようにエンドキャップ４５０の動きを規制することにより、接着剤を用いることなくエンドキャップ４５０の緩みを防止することができる。
【符号の説明】
【００５９】
１００          電磁スピル弁
１１０          ハウジング
１１０Ａ        インサートピース孔
１２０          スピル弁体
１５０          エンドキャップ
１６０          カバー
１０００        燃料噴射ポンプ
【図１】
0006547564.tif 000002
【図２】
0006547564.tif 000003
【図３】
0006547564.tif 000004
【図４】
0006547564.tif 000005
【図５】
0006547564.tif 000006
【図６】
0006547564.tif 000007